(57)【要約】【課題】音声によって、ユーザの意図した風向設定を指示することのできる空気調和機を提供する。【解決手段】マイク１０は、空調空間に存在するユーザが発した音声を取得する。カメラ２０は、空調空間を撮影した撮影画像を取得する。音声認識部３０は、ユーザが発したターゲット名を認識する。画像認識部４０は、ターゲット名に対応するターゲットを、撮影画像から認識する。空調制御部６０は、空調空間に送出する調和空気の風向を、認識されたターゲットに向けて制御する。【選択図】図２
2020085302.tif 000002
【特許請求の範囲】
【請求項１】
空調空間に存在するユーザが発した音声を取得する音声取得手段と、
前記音声に基づいて、前記空調空間に送出する調和空気の風向を制御する空調制御手段と、
を備える空気調和機。
【請求項２】
前記音声から、前記ユーザが発したターゲット名を認識する音声認識手段と、
前記空調空間を撮影した撮影画像を取得する撮影画像取得手段と、
前記ターゲット名に対応するターゲットを、前記撮影画像から認識する画像認識手段と、を更に備え、
前記空調制御手段は、前記ターゲットに向けて前記風向を制御する、
請求項１に記載の空気調和機。
【請求項３】
前記空調制御手段は、前記ターゲットの大きさが基準値を超えている場合に、前記ターゲットを中心とした規定範囲で前記風向をスイングさせる、
請求項２に記載の空気調和機。
【請求項４】
前記音声から、前記ユーザが発したターゲット名を認識する音声認識手段と、
前記空調空間を撮影した撮影画像を取得する撮影画像取得手段と、
前記ターゲット名に対応するターゲットを、前記撮影画像から認識する画像認識手段と、を更に備え、
前記空調制御手段は、風よけ運転時に、前記ターゲットからずらして前記風向を制御する、
請求項１に記載の空気調和機。
【請求項５】
前記音声から、前記ユーザが発したターゲット名を認識する音声認識手段と、
前記空調空間の温度分布を示す熱画像を取得する熱画像取得手段と、
前記ターゲット名に対応するターゲットを、前記熱画像から認識する画像認識手段と、を更に備え、
前記空調制御手段は、前記ターゲットに向けて前記風向を制御する、
請求項１に記載の空気調和機。
【請求項６】
前記空調制御手段は、冷房運転中であれば、前記ターゲットにおける最も高温の箇所に向けて、暖房運転中であれば、前記ターゲットにおける最も低温の箇所に向けて、前記風向を制御する、
請求項５に記載の空気調和機。
【請求項７】
前記音声認識手段が認識に利用する名称辞書、及び、前記画像認識手段が認識に利用する画像辞書をそれぞれ更新する学習管理手段を、更に備える、
請求項２から６の何れか１項に記載の空気調和機。
【請求項８】
スマートスピーカと、空気調和機とを含んだ空気調和システムであって、
前記スマートスピーカは、
空調空間に存在するユーザが発した音声を取得する音声取得手段と、
前記音声から、前記ユーザが発したターゲット名を認識する音声認識手段と、を備え、
前記空気調和システムは、
前記空調空間を撮影した撮影画像、若しくは、前記空調空間の温度分布を示す熱画像を取得する画像取得手段と、
前記ターゲット名に対応するターゲットを、前記撮影画像、若しくは、前記熱画像から認識する画像認識手段と、
前記空調空間に送出する調和空気の風向を、前記ターゲットに向けて制御する空調制御手段と、を備る、
空気調和システム。
【請求項９】
マイクが入力した音声を取得する音声取得ステップと、
前記音声から、空調空間に存在するユーザが発したターゲット名を認識する音声認識ステップと、
前記空調空間を撮影した撮影画像、若しくは、前記空調空間の温度分布を示す熱画像を取得する画像取得ステップと、
前記ターゲット名に対応するターゲットを、前記撮影画像、若しくは、前記熱画像から認識する画像認識ステップと、
前記空調空間に送出する調和空気の風向を、前記ターゲットに向けて制御する空調制御ステップと、
を備える風向制御方法。
【請求項１０】
コンピュータを、
マイクが入力した音声から、空調空間に存在するユーザが発したターゲット名を認識する音声認識部、
前記ターゲット名に対応するターゲットを、カメラが撮影した撮影画像、若しくは、熱画像カメラが撮影した熱画像から認識する画像認識部、
前記空調空間に送出する調和空気の風向を、前記ターゲットに向けて制御する空調制御部、
として機能させるプログラム。
【発明の詳細な説明】
【技術分野】
【０００１】
本発明は、空気調和機、空気調和システム、風向制御方法、及び、プログラムに関する。
【背景技術】
【０００２】
従来より、住宅，ビル等において、室内空調を行う空気調和機が普及している。例えば、ユーザは、リモコンを操作して、冷房，暖房等の室内空調を空気調和機に指示することができるようになっている。
【０００３】
最近では、音声によって空気調和機を操作する技術も知られている。これにより、例えば、目の不自由なユーザ、作業中でリモコンを操作できないユーザ、複雑なリモコン操作が困難な年配のユーザ等であっても、音声を発することで、空気調和機を操作することができる。
【０００４】
音声によって空気調和機を操作する先行技術が、例えば、特許文献１に開示されている。この特許文献１には、例えば、「運転開始」、「運転停止」、「設定温度」、「風速の強弱」の操作を、音声によって行うことのできる空気調和機の発明が開示されている。
【先行技術文献】
【特許文献】
【０００５】
【特許文献１】特開２０００−１６１７４６号公報
【発明の概要】
【発明が解決しようとする課題】
【０００６】
しかしながら、特許文献１の発明には、設定温度、風速の強弱といった空気調和機における基本操作を音声で指示できることが開示されているだけであり、より高度な風向設定については、何ら開示されていなかった。例えば、特許文献１の空気調和機では、人に風を当てるように制御する風当て運転、又は、人に風を当てないように制御する風よけ運転といった高度な風向設定を、音声で指示することができなかった。
また、空気調和機からの風向は、目視によっても認識が困難である。そのため、目の不自由なユーザ、複雑なリモコン操作が困難な年配のユーザだけでなく、殆どのユーザは、意図した通りに風向設定を行うのが困難であった。
【０００７】
本発明は、このような課題を解決するためになされたものであり、音声によって、ユーザの意図した風向設定を指示することのできる空気調和機、空気調和システム、風向制御方法、及び、プログラムを提供することを目的とする。
【課題を解決するための手段】
【０００８】
上記目的を達成するため、本発明に係る空気調和機は、
空調空間に存在するユーザが発した音声を取得する音声取得手段と、
前記音声に基づいて、前記空調空間に送出する調和空気の風向を制御する空調制御手段と、
を備える。
【発明の効果】
【０００９】
本発明に係る空気調和機において、音声取得手段は、空調空間に存在するユーザが発した音声を取得する。そして、空調制御手段は、音声に基づいて、空調空間に送出する調和空気の風向を制御する。例えば、ユーザがターゲット名を発話すると、空調制御手段は、空調空間に存在するターゲットに向けて、風向を制御する。
この結果、音声によって、ユーザの意図した風向設定を指示することができる。
【図面の簡単な説明】
【００１０】
【図１】本発明の実施形態１に係る空気調和機の外観の一例を示す斜視図
【図２】空気調和機の主な構成の一例を示すブロック図
【図３】（ａ）が波形の特徴の一例を示すグラフ、（ｂ）が特徴の分布の一例を示すグラフ
【図４】ターゲット名記憶部に記憶される情報の一例を示す模式図
【図５】画像記憶部に記憶される情報の一例を示す模式図
【図６】（ａ），（ｂ）共に、ターゲット画像の登録を説明するための模式図
【図７】本発明の実施形態１に係る空気調和機のメイン処理の一例を説明するためのフローチャート
【図８】メイン処理における音声認識処理の一例を説明するためのフローチャート
【図９】メイン処理における画像認識処理の一例を説明するためのフローチャート
【図１０】メイン処理における空調制御処理の一例を説明するためのフローチャート
【図１１】メイン処理における学習管理処理の一例を説明するためのフローチャート
【図１２】画像記憶部に記憶される他の情報の一例を示す模式図
【図１３】本発明の実施形態２に係る空気調和システムの構成の一例を示すブロック図
【図１４】本発明の実施形態２に係る空気調和システムのメイン処理の一例を説明するためのフローチャート
【図１５】メイン処理における画像認識処理の一例を説明するためのフローチャート
【図１６】メイン処理における空調制御処理の一例を説明するためのフローチャート
【図１７】本発明の他の実施形態に係る空気調和機の構成の一例を示すブロック図
【図１８】本発明の他の実施形態に係る空気調和システムの構成の一例を示すブロック図
【発明を実施するための形態】
【００１１】
以下、本発明の実施形態について図面を参照して詳細に説明する。なお、本明細書で使用する各図においては、共通する要素に同一の符号を付けるものとする。また、本発明は、以下の実施形態に限定されるものではなく、本発明の趣旨を逸脱しない範囲で種々に変形することが可能である。
【００１２】
（実施形態１）
図１は、本発明の実施形態１に係る空気調和機１００の外観の一例を示す斜視図である。
【００１３】
図示するように、空気調和機１００は、上部（天面）に、室内の空気を吸い込む吸込口１０１が設けられている。空気調和機１００の内部には、図示せぬ空調機構（一例として、熱交換器、ファン、ファンモータ等）が配置されている。このような空調機構は、吸込口１０１から吸い込んだ空気から、暖気又は冷気の調和空気を生成する。
【００１４】
また、空気調和機１００の下部には、生成された調和空気を室内に吹き出す吹出口１０２が設けられている。なお、吹出口１０２には、上下風向板１０３、及び、左右風向板１０４が配置されている。
【００１５】
上下風向板１０３は、吹出口１０２から室内に送出される調和空気の風向を、上下方向（鉛直方向）に調節する。また、左右風向板１０４は、吹出口１０２から室内に送出される調和空気の風向を、左右方向（水平方向）に調節する。
つまり、これら上下風向板１０３と左右風向板１０４とによって、吹出口１０２から送出される調和空気の風向が調整される。
【００１６】
更に、空気調和機１００の前面中央には、室内の音声を入力するマイク１０と、室内の画像を撮影するカメラ２０とが配置されている。なお、マイク１０及びカメラ２０の配置位置は、このような前面中央に限られず、室内の音声及び室内の画像を適切に取得できる位置に配置されていればよい。また、カメラ２０は、例えば、水平方向に間隔を空けて複数配置されていてもよい。
【００１７】
以下、図２を参照して、空気調和機１００の構成について、説明する。図２は、空気調和機１００の主な構成の一例を示すブロック図である。
【００１８】
図示するように、空気調和機１００は、音声取得手段の一例であるマイク１０と、撮影画像取得手段の一例であるカメラ２０と、音声認識手段の一例である音声認識部３０と、ターゲット名記憶部３１と、画像認識手段の一例である画像認識部４０と、画像記憶部４１と、学習管理手段の一例である学習管理部５０と、空調制御手段の一例である空調制御部６０と、風向板駆動部７０とを備える。
なお、音声認識部３０、画像認識部４０、学習管理部５０、及び、空調制御部６０は、例えば、ＣＰＵ（Central Processing Unit）及びメモリを備えた演算処理部によって、実現されるものとする。つまり、ＣＰＵがメモリに格納されたプログラムを実行することにより、これら音声認識部３０、画像認識部４０、学習管理部５０、及び、空調制御部６０が実現される。
【００１９】
マイク１０は、上述したように、例えば、空気調和機１００の前面中央に配置され、室内の音声を取得する。つまり、マイク１０は、空調空間に存在するユーザが発した音声を取得する。マイク１０は、取得した音声データを、音声認識部３０に供給する。
【００２０】
カメラ２０は、上述したように、例えば、空気調和機１００の前面中央に配置され、室内の撮影画像を取得する。つまり、カメラ２０は、空調空間を撮影した撮影画像を取得する。カメラ２０は、取得した撮影情報を、画像認識部４０に供給する。
【００２１】
音声認識部３０は、マイク１０が取得した音声から、ユーザが発したターゲット名を音声認識する。
具体的に、音声認識部３０は、まず、音声からワード（単語）を抽出する。例えば、音声認識部３０は、音声の波形を音素単位に分割し、図３（ａ）に示すような音素の周波数特徴をそれぞれ抽出する。そして、音声認識部３０は、図３（ｂ）に示すように、予め測定された標本音素の特徴分布（分布Ａ，Ｂ，Ｃ・・・）と、抽出した音素（一例として、「あ」）の周波数特徴とを照らし合わせ、音素からの距離（より詳細には、特徴分布の重心までの距離）が最も近い標本音素を特定する。音声認識部３０は、このような特定を各音素について行い、特定したそれぞれの標本音素を連結することで、ワードを抽出する。
次に、音声認識部３０は、以下に説明するターゲット名記憶部３１から、抽出したワードと合致するターゲット名が検索できれば、そのターゲット名がユーザによって発話されたと認識する。
【００２２】
図２に戻って、ターゲット名記憶部３１は、音声認識の対象となるターゲット名の辞書（つまり、名称辞書）を記憶する。
例えば、ターゲット名記憶部３１は、図４に示すように、複数種類のターゲット名３１ｂを記憶している。具体的に、ターゲット名３１ｂには、空気調和機１００が空気調和する空調空間を利用するユーザの名前である「たろう」、「しょうた」、「はなこ」、空調空間に存在する物の名称である「ソファ」、「ダイニングテーブル」が含まれている。このようなターゲット名３１ｂには、その名称を識別するための名称ＩＤ３１ａが付加されている。
また、後述するように、ターゲット名記憶部３１は、ユーザが任意に登録したターゲット名も記憶できるようになっている。
【００２３】
図２に戻って、画像認識部４０は、カメラ２０が取得した撮影画像から、音声認識部３０が音声認識したターゲット名に対応するターゲットを画像認識する。
具体的に、まず、画像認識部４０は、以下に説明する画像記憶部４１から、音声認識部３０が音声認識したターゲット名に対応付けられたターゲット画像を読み出す。
次に、画像認識部４０は、カメラ２０が取得した撮影画像中から、読み出したターゲット画像と合致する画像が探索できれば、その画像をターゲット画像と認識する。なお、画像の探索は、一例として、パターン認識（パターンマッチング）、テンプレートマッチング等にて行う。
【００２４】
画像記憶部４１は、画像認識の対象となるターゲット画像の辞書（つまり、画像辞書）を記憶する。
例えば、画像記憶部４１は、図５に示すように、複数種類のターゲット画像４１ｂを記憶している。このターゲット画像４１ｂには、その画像を識別するための画像ＩＤ４１ａが付加されている。更に、ターゲット画像４１ｂには、上述したターゲット名記憶部３１における何れかの名称ＩＤ３１ａと同じＩＤが対象名称ＩＤ４１ｃに付加されている。つまり、画像記憶部４１に記憶されているターゲット画像は、ターゲット名記憶部３１に記憶されているターゲット名と対応付けられている。
また、後述するように、画像記憶部４１は、ユーザが任意に登録したターゲット画像も記憶できるようになっている。
【００２５】
学習管理部５０は、ターゲット名記憶部３１に記憶されているターゲット名、及び、画像記憶部４１に記憶されているターゲット画像を適宜更新する。
例えば、ターゲット名及びターゲット画像を公式に管理する管理サーバにおいて、データのアップデートがなされた場合に、学習管理部５０は、アップデートされたデータを管理サーバからダウンロードし、ターゲット名記憶部３１、及び、画像記憶部４１を更新する。
その他にも、学習管理部５０は、ユーザによる手動登録が要求された場合に、発話されたターゲット名をターゲット名記憶部３１に記憶し、そして、そのターゲット名に対応付けるためのターゲット画像を画像記憶部４１に記憶する。
例えば、学習管理部５０は、ターゲット名の手動登録が要求されると、マイク１０からユーザが発する音声（一例として、「クッション」）を受け付け、音声認識部３０にて音声認識したワードを、新たなターゲット名としてターゲット名記憶部３１に記憶する。
続いて、学習管理部５０は、登録したターゲット名に対応付けるためのターゲット画像を、以下に説明する２つの手法の何れかによって取得して、画像記憶部４１に記憶する。
【００２６】
１つ目の手法は、例えば、スマートフォン、タブレット等のユーザ端末に、空気調和機１００から撮影画像を送信し、ユーザによって、その撮影画像の中からターゲット画像を選択してもらう手法である。具体的に、学習管理部５０は、図６（ａ）に示すように、カメラ２０が撮影した撮影画像ＩＭをユーザ端末ＵＴに送信して表示させる。その際、学習管理部５０は、画像認識部４０が物体認識した領域を、選択カーソルＳＬ（ＳＬ１〜３）にて囲んだ撮影画像ＩＭを、ユーザ端末ＵＴに送信してもよい。そして、ユーザが、撮影画像ＩＭ中における任意の領域を、指で囲んで指定したり、何れかの選択カーソルＳＬ（一例として、選択カーソルＳＬ１）をタップするなどして選択すると、学習管理部５０は、選択されたターゲット画像を画像記憶部４１に記憶する。
なお、学習管理部５０は、例えば、ＢＬＥ（Bluetooth（登録商標） Low Energy ）、Ｗｉ−Ｆｉ等の無線通信を用いて、ユーザ端末ＵＴとの通信を可能としている。
【００２７】
２つ目の手法は、ユーザ端末でターゲットの写真を撮影し、その写真を空気調和機１００へ送信してもらう手法である。
具体的に、ユーザは、ユーザ端末ＵＴのカメラ機能を使って、図６（ｂ）に示すように、ターゲットＯＢ（一例として、クッション）を含んだ写真ＰＴを撮影する。そして、ユーザ端末ＵＴから、その写真ＰＴを学習管理部５０に送信する。学習管理部５０は、写真ＰＴを受信すると、背景削除、サイズ変換等を行った後に、ターゲット画像として画像記憶部４１に記憶する。
【００２８】
図２に戻って、空調制御部６０は、ユーザの音声に基づいて、吹出口１０２から送出する調和空気の風向を制御する。なお、空調制御部６０は、風向板駆動部７０を適宜駆動させて、上下風向板１０３、及び、左右風向板１０４をそれぞれ制御することで、吹出口１０２から送出する調和空気の風向を制御する。
例えば、空調制御部６０は、ユーザの発したターゲット名が、音声認識部３０にて音声認識され、かつ、そのターゲット名に対応付けられたターゲット画像が、画像認識部４０により撮影画像中から認識されると、空調空間に存在するターゲットに向けて調和空気が送出されるように、風向を制御する（風当て運転の場合）。なお、風よけ運転の場合であれば、空調空間に存在するターゲットから、例えば、±３０度ずらして調和空気が送出されるように、風向を制御する。
また、風当て運転の場合において、ターゲットの大きさ（一例として、面積）が基準値よりも大きい場合に、空調制御部６０は、ターゲット全体に調和空気が送出されるように、ターゲットを中心として、規定範囲で風向を行き来させるスイング運転を行う。
この他にも、空調制御部６０は、冷房運転、暖房運転等の温度設定に応じて、吹出口１０２から送出する調和空気の温度を調整したり、風量設定に応じて、吹出口１０２から送出する調和空気の風量を調整する。
【００２９】
風向板駆動部７０は、例えば、アクチュエータ、モータ等であり、上下風向板１０３、及び、左右風向板１０４を駆動させる。
【００３０】
以下、このような構成の空気調和機１００の動作について、図７〜１１を参照して説明する。図７は、本発明の実施形態１に係る空気調和機１００のメイン処理の一例を説明するためのフローチャートである。また、図８は、メイン処理における音声認識処理の一例を説明するためのフローチャートである。また、図９は、メイン処理における画像認識処理の一例を説明するためのフローチャートである。また、図１０は、メイン処理における空調制御処理の一例を説明するためのフローチャートである。そして、図１１は、メイン処理における学習管理処理の一例を説明するためのフローチャートである。
【００３１】
最初に、図７を参照して、空気調和機１００が行うメイン処理について説明する。
【００３２】
まず、空気調和機１００は、現在のモードが管理モードであるか否かを判別する（ステップＳ１００）。なお、管理モードとは、ターゲット名記憶部３１、及び、画像記憶部４１に記憶される情報を、適宜更新するモードのことである。
【００３３】
空気調和機１００は、管理モードでないと判別すると（ステップＳ１００；Ｎｏ）、ウェイクワードを検知したか否かを判別する（ステップＳ２００）。なお、ウェイクワードとは、風向設定のトリガーとなるワードであり、例えば、「風当て」、「風よけ」等である。
すなわち、音声認識部３０は、このようなウェイクワードが、マイク１０から入力されたかどうかを判別する。
【００３４】
空気調和機１００は、ウェイクワードを検知していないと判別すると（ステップＳ２００；Ｎｏ）、そのまま、ウェイクワードが入力されるのを待機する。
【００３５】
一方、ウェイクワードを検知したと判別すると（ステップＳ２００；Ｙｅｓ）、空気調和機１００は、ターゲット名を検知するための音声認識処理を実行する（ステップＳ３００）。なお、音声認識処理の詳細については、後述する。
【００３６】
空気調和機１００は、音声認識処理によって、ターゲット名を検知できたか否かを判別する（ステップＳ４００）。
空気調和機１００は、ターゲット名を検知できなかったと判別すると（ステップＳ４００；Ｎｏ）、上述したステップＳ２００に処理を戻す。
【００３７】
一方、ターゲット名を検知できたと判別した場合（ステップＳ４００；Ｙｅｓ）に、空気調和機１００は、空調空間に存在するターゲットを検知するための画像認識処理を実行する（ステップＳ５００）。なお、画像認識処理の詳細については、後述する。
【００３８】
空気調和機１００は、画像認識処理によって、ターゲットを検知できたか否かを判別する（ステップＳ６００）。
空気調和機１００は、ターゲットを検知できなかったと判別すると（ステップＳ６００；Ｎｏ）、上述したステップＳ２００に処理を戻す。
【００３９】
一方、ターゲットを検知できたと判別した場合（ステップＳ６００；Ｙｅｓ）に、空気調和機１００は、ターゲットの大きさを算出する（ステップＳ７００）。
例えば、空気調和機１００は、撮影画像中における床から天井まで高さ、窓の幅，高さ、ドアの幅，高さを基準として、それら窓、ドア等と、ターゲットとの奥行きを考慮した位置関係から、ターゲットの大きさを算出する。
この他にも、水平方向に間隔を空けて２台配置されたカメラ２０を用いる場合では、各カメラ２０から同一の撮影画像を撮影し、２つの撮影画像の視差とカメラ２０の間隔距離を用いて三角法により、ターゲットまでの距離を計測して、ターゲットのサイズを算出してもよい。
【００４０】
そして、空気調和機１００は、風向を制御するための空調制御処理を実行する（ステップＳ８００）。なお、空調制御処理の詳細については、後述する。
【００４１】
また、上述したステップＳ１００にて、管理モードであると判別した場合（ステップＳ１００；Ｙｅｓ）に、空気調和機１００は、ターゲット名記憶部３１、及び、画像記憶部４１を更新するための学習管理処理を実行する（ステップＳ９００）。なお、学習管理処理の詳細については、後述する。
【００４２】
次に、図８を参照して、上述したメイン処理のステップＳ３００にて実行される音声認識処理の詳細について説明する。
【００４３】
まず、空気調和機１００は、マイク１０が入力した音声を取得する（ステップＳ３０１）。
【００４４】
空気調和機１００は、取得した音声からワードを認識する（ステップＳ３０２）。例えば、音声認識部３０は、音声の波形を音素単位に分割し、上述した図３（ａ）のような音素の周波数特徴をそれぞれ抽出する。そして、音声認識部３０は、図３（ｂ）のように、予め測定された標本音素の特徴分布と、抽出した音素の周波数特徴とを照らし合わせ、音素からの距離が最も近い標本音素を特定する。音声認識部３０は、このような特定を各音素について行い、特定したそれぞれの標本音素を連結することで、ワードを認識する。
【００４５】
空気調和機１００は、認識したワードと、登録されているｎ番目のターゲット名とを比較する（ステップＳ３０３）。例えば、音声認識部３０は、ステップＳ３０２にて認識したワードと、ターゲット名記憶部３１の上述した図４のようなターゲット名３１ｂにおけるｎ番目のターゲット名とを比較する。なお、ｎは、１から始まる自然数である。
【００４６】
空気調和機１００は、認識したワードと、ｎ番目のターゲット名とが合致したか否かを判別する（ステップＳ３０４）。
空気調和機１００は、合致したと判別すると（ステップＳ３０４；Ｙｅｓ）、合致したターゲット名の名称ＩＤを返却する（ステップＳ３０５）。つまり、空気調和機１００は、名称ＩＤをリターン値にセットして、上述したメイン処理に制御を戻す。
【００４７】
一方、合致しないと判別すると（ステップＳ３０４；Ｎｏ）、空気調和機１００は、ｎが登録数（ターゲット名記憶部３１に記憶されたターケット名の総数）より小さいか否かを判別する（ステップＳ３０６）。つまり、空気調和機１００は、比較できるターゲット名が、ターゲット名記憶部３１に残っているかどうかを判別する。
【００４８】
空気調和機１００は、ｎが登録数よりも小さいと判別すると（ステップＳ３０６；Ｙｅｓ）、ｎに１を加算し（ステップＳ３０７）、上述したステップＳ３０３に処理を戻す。
【００４９】
一方、ｎが登録数より小さくない（ｎが登録数以上である）と判別した場合（ステップＳ３０６；Ｎｏ）に、空気調和機１００は、検知なしを返却する（ステップＳ３０８）。つまり、空気調和機１００は、ターゲット名の検知なしをリターン値にセットして、上述したメイン処理に制御を戻す。
【００５０】
次に、図９を参照して、上述したメイン処理のステップＳ５００にて実行される画像認識処理の詳細について説明する。
【００５１】
まず、空気調和機１００は、カメラ２０が撮影した撮影画像を取得する（ステップＳ５０１）。
【００５２】
空気調和機１００は、返却された名称ＩＤに対応付けられたターゲット画像を読み出す（ステップＳ５０２）。
すなわち、画像認識部４０は、上述した音声認識処理のステップＳ３０５にて返却された名称ＩＤに対応付けられたターゲット画像を、画像記憶部４１から読み出す。
【００５３】
空気調和機１００は、ターゲット画像と、撮影画像中の探索窓の画像（探索窓領域）とをパターン認識により比較する（ステップＳ５０３）。すなわち、画像認識部４０は、画像記憶部４１から読み出したターゲット画像と、撮影画像における現在の探索窓の画像とを、パターン認識により比較する。この探索窓は、撮影画像中において、始点から終端まで、位置をずらしながら走査するための領域である。なお、パターン認識以外にも、画像認識部４０は、テンプレートマッチングにより、ターゲット画像と、現在の探索窓の画像とを比較するようにしてもよい。
【００５４】
空気調和機１００は、ターゲット画像と、現在の探索窓の画像とが合致したか否かを判別する（ステップＳ５０４）。
空気調和機１００は、合致したと判別すると（ステップＳ５０４；Ｙｅｓ）、探索窓の位置を返却する（ステップＳ５０５）。つまり、空気調和機１００は、撮影画像におけるターゲット画像の位置をリターン値にセットして、上述したメイン処理に制御を戻す。
【００５５】
一方、合致しないと判別すると（ステップＳ５０４；Ｎｏ）、空気調和機１００は、探索窓が終端まで達したか否かを判別する（ステップＳ５０６）。つまり、空気調和機１００は、撮影画像の全体について探索を終えたかどうかを判別する。
【００５６】
空気調和機１００は、探索窓が終端まで達していないと判別すると（ステップＳ５０６；Ｎｏ）、探索窓を移動させ（ステップＳ５０７）、上述したステップＳ５０３に処理を戻す。
【００５７】
一方、探索窓が終端まで達したと判別した場合（ステップＳ５０６；Ｙｅｓ）に、空気調和機１００は、検知なしを返却する（ステップＳ５０８）。つまり、空気調和機１００は、ターゲット画像の検知なしをリターン値にセットして、上述したメイン処理に制御を戻す。
【００５８】
次に、図１０を参照して、上述したメイン処理のステップＳ８００にて実行される空調制御処理の詳細について説明する。
【００５９】
まず、空気調和機１００は、返却された探知窓の位置から、空調空間に存在するターゲットに向けたターゲット方向を算出する（ステップＳ８０１）。
例えば、空調制御部６０は、撮影画像中におけるターゲット画像の位置と、カメラ２０の光軸方向と、カメラ２０の画角とから、空調空間に存在するターゲットに向けたターゲット方向（一例として、空気調和機１００の吹出口１０２からターゲットまでのターゲット方向）を算出する。
【００６０】
空気調和機１００は、風当て運転か否かを判別する（ステップＳ８０２）。すなわち、空気調和機１００は、上述したメイン処理のステップＳ２００にて検知した際のウェイクワードが、「風当て」であったかどうかを判別する。
【００６１】
空気調和機１００は、風当て運転でない（風よけ運転である）と判別すると（ステップＳ８０２；Ｎｏ）、ターゲット方向から、例えば、±３０度ずらして風向を設定する（ステップＳ８０３）。
例えば、空調制御部６０は、ターゲットに調和空気が当たらないように、ターゲット方向から左方向に３０度ずらして風向を設定する。なお、風向が設定限界角度を超える場合に、空調制御部６０は、ターゲット方向から右方向に３０度ずらして風向を設定する。
なお、ずらす角度は、このように左右３０度に限られず、他の角度であってもよい。また、ずらす方向も、左右に限られず、上下にずらしてもよい。
そして、空気調和機１００は、上述したメイン処理に制御を戻す。
【００６２】
一方、風当て運転であると判別した場合（ステップＳ８０２；Ｙｅｓ）に、空気調和機１００は、ターゲットの大きさが基準値よりも大きいか否かを判別する（ステップＳ８０４）。
すなわち、空気調和機１００は、上述したメイン処理のステップＳ７００にて算出されたターゲットの大きさが、基準値よりも大きいかどうかを判別する。なお、基準値とは、風向を固定した場合に、ターゲットを利用する人全員に、調和空気が行き渡る程度の閾値である。例えば、ターゲットがダイニングテーブルであれば、そのダイニングテーブルを複数人で使用すると（ダイニングテーブルを挟んで両側に人が座ると）、風向を固定した場合に、全員に調和空気を行き渡らせることができない。そのため、複数人で使用し得るターゲットと単独で使用するターゲットとの閾値となる基準値を予め定めておく。なお、ユーザが任意に基準値を設定できるようにしてもよい。その場合、ユーザは、閾値とすべきターゲットを指定して、空気調和機１００にそのサイズを測定させて基準値としても良いし、ユーザが基準値を直接入力できるようにしてもよい。
【００６３】
空気調和機１００は、ターゲットの大きさが基準値よりも大きくない（ターゲットの大きさが基準値以下である）と判別すると（ステップＳ８０４；Ｎｏ）、ターゲット方向に風向を設定する（ステップＳ８０５）。
すなわち、空調制御部６０は、空調空間に存在するターゲットに向けて調和空気が送出されるように、風向を制御する。
そして、空気調和機１００は、上述したメイン処理に制御を戻す。
【００６４】
一方、ターゲットの大きさが基準値よりも大きいと判別した場合（ステップＳ８０４；Ｙｅｓ）に、空気調和機１００は、ターゲット方向を中心とした規定範囲でスイングするようにスイング設定する（ステップＳ８０６）。
すなわち、空調制御部６０は、ターゲット全体に調和空気が当たるように、ターゲット方向を中心として、規定範囲で風向を行き来させるスイング運転を行う。
そして、空気調和機１００は、上述したメイン処理に制御を戻す。
【００６５】
次に、図１１を参照して、上述したメイン処理のステップＳ９００にて実行される学習管理処理の詳細について説明する。
【００６６】
まず、空気調和機１００は、ユーザによるターゲットの登録であるか否かを判別する（ステップＳ９０１）。
【００６７】
空気調和機１００は、ユーザによるターゲットの登録であると判別すると（ステップＳ９０１；Ｙｅｓ）、マイク１０が入力した音声を音声認識し、認識したワードをターゲット名として登録する（ステップＳ９０２）。
例えば、学習管理部５０は、マイク１０からユーザが発する音声を受け付け、音声認識部３０にて音声認識したワードを、新たなターゲット名としてターゲット名記憶部３１に記憶する。
【００６８】
空気調和機１００は、カメラ２０が撮影した撮影画像をユーザ端末に提供する（ステップＳ９０３）。
例えば、学習管理部５０は、上述した図６（ａ）のように、カメラ２０が撮影した撮影画像ＩＭをユーザ端末ＵＴに送信して表示させる。その際、学習管理部５０は、画像認識部４０が物体認識した領域を、選択カーソルＳＬ（ＳＬ１〜３）にて囲んだ撮影画像ＩＭを、ユーザ端末ＵＴに送信してもよい。
【００６９】
空気調和機１００は、撮影画像中からユーザが選択した画像を、ターゲット画像として登録する（ステップＳ９０４）。
例えば、図６（ａ）のように、ユーザが、撮影画像ＩＭ中における任意の画像を、指で囲んで指定したり、何れかの選択カーソルＳＬをタップするなどして画像を選択すると、学習管理部５０は、その画像をターゲット画像として画像記憶部４１に記憶する。その際、学習管理部５０は、ステップＳ９０２にてターゲット名記憶部３１に記憶したターゲット名と、ターゲット画像とを対応付ける。
そして、空気調和機１００は、上述したメイン処理に制御を戻す。
【００７０】
また、上述したステップＳ９０１にて、ユーザによるターゲットの登録でないと判別した場合（ステップＳ９０１；Ｎｏ）に、空気調和機１００は、アップデートがあるか否かを判別する（ステップＳ９０５）。
例えば、学習管理部５０は、公式の管理サーバにおいて、ターゲット名及びターゲット画像について、アップデートがなされているかどうかを判別する。
【００７１】
空気調和機１００は、アップデートがないと判別すると（ステップＳ９０５；Ｎｏ）、そのまま学習管理処理を終え、上述したメイン処理に制御を戻す。
一方、アップデートがあると判別した場合（ステップＳ９０５；Ｙｅｓ）に、空気調和機１００は、アップデートに従って、ターゲット名記憶部３１を更新し（ステップＳ９０６）、また、画像記憶部４１を更新する（ステップＳ９０７）。
すなわち、学習管理部５０は、アップデートされたデータを管理サーバからダウンロードし、ターゲット名記憶部３１、及び、画像記憶部４１をそれぞれ更新する。
そして、空気調和機１００は、上述したメイン処理に制御を戻す。
【００７２】
このように、空気調和機１００が実行する各処理によって、ユーザがターゲット名を発話するだけで、空調空間に存在するそのターゲットに向けて風向を制御することができる（風当て運転の場合）。なお、風よけ運転の場合には、ターゲットからずらして風向を制御することができる。
これにより、目の不自由なユーザ、作業中でリモコンを操作できないユーザ、複雑なリモコン操作が困難な年配のユーザ等であっても、直感的に風向設定を行うことができる。
また、空気調和機１００からの風向は、目視によっても認識が困難であるものの、目の不自由なユーザ、複雑なリモコン操作が困難な年配のユーザだけでなく、殆どのユーザが、微調整の必要なしにピンポイントで風向を設定することができる。
【００７３】
この結果、音声によって、ユーザの意図した風向設定を指示することができる。
【００７４】
上記の実施形態１では、図５に示すような情報を、画像記憶部４１に記憶する場合について説明したが、他の情報も加えた図１２に示すような情報を、画像記憶部４１に記憶するようにしてもよい。
【００７５】
図１２に示すように、ターゲット画像４１ｂには、更に、位置情報４１ｄ、及び、属性４１ｅが付加されている。
位置情報４１ｄは、例えば、そのターゲットにおける直近の位置情報である。例えば、画像認識部４０によってターゲットとして認識された場合に、位置情報４１ｄが更新される。なお、空気調和機１００が稼働した際に、各ターゲット画像に応じたターゲットが探索されて、位置情報４１ｄが更新されるようにしてもよい。
【００７６】
また、属性４１ｅは、ターゲットの属性である。例えば、「人」は、空調空間において、移動する可能性が極めて高い属性である。また、「重家具」は、空調空間において、移動される（配置場所が変えられる）可能性が極めて低い属性である。そして、「軽家具」は、空調空間において、移動される可能性が中程度の属性である。
【００７７】
図１２に示すような情報を画像記憶部４１に記憶することで、例えば、ユーザと重なるために、画像認識部４０がターゲットを認識できなかった場合でも、属性４１ｅからターゲットが移動されない可能性が高い場合に、位置情報４１ｄを使用して、空調制御部６０がターゲットに向けて風向を制御してもよい（風当て運転の場合）。
具体的には、ソファーに大人数が座っている状態で、ユーザが「風当て、ソファー」と発した場合に、画像認識部４０がそのソファーを認識できないことも生じ得る。そのような場合でも、ソファーの属性４１ｅが「重家具」となっており、移動される可能性が極めて低いため、空調制御部６０は、ソファーの位置情報４１ｄを使用し、その位置に向けて風向を制御する。
【００７８】
この場合でも、音声によって、ユーザの意図した風向設定を指示することができる。
【００７９】
また、上記の実施形態１では、カメラ２０を用いる場合について説明したが、以下に説明するような熱画像カメラを用いてもよい。
【００８０】
（実施形態２）
上記の実施形態１では、空気調和機１００が、マイク１０、及び、音声認識部３０を備える場合について説明したが、市販されているスマートスピーカ（ＡＩスピーカ）を利用するようにしてもよい。
以下、本発明の実施形態２に係る空気調和システム１について、図面を参照して説明する。
【００８１】
図１３は、本発明の実施形態２に係る空気調和システム１の構成を示すブロック図である。
図示するように、空気調和システム１は、スマートスピーカ２００と、空気調和機１００とを含んでいる。
【００８２】
スマートスピーカ２００は、音声取得手段の一例であるマイク１０と、音声認識手段の一例である音声認識部３０と、ターゲット名記憶部３１とを備える。
なお、これらマイク１０、音声認識部３０、及び、ターゲット名記憶部３１は、上述した実施形態１に係る空気調和機１００の構成と同じである。
【００８３】
空気調和機１００は、制御管理部８０と、熱画像取得手段の一例である熱画像カメラ９０と、画像認識手段の一例である画像認識部４０と、画像記憶部４１と、学習管理手段の一例である学習管理部５０と、空調制御手段の一例である空調制御部６５と、風向板駆動部７０とを備える。
なお、画像認識部４０、画像記憶部４１、学習管理部５０、及び、風向板駆動部７０は、上述した実施形態１に係る空気調和機１００の構成と同じである。
【００８４】
制御管理部８０は、スマートスピーカ２００の音声認識部３０が認識したターゲット名を取得する。
【００８５】
熱画像カメラ９０は、空調空間の温度分布を示す熱画像を取得する。例えば、熱画像カメラ９０は、配列された赤外線受光素子が可動（回転）機構によって、可動自在に支持されており、室内における天井から床に向けた走査範囲を走査して、空調空間における熱画像を検出する。
【００８６】
空調制御部６５は、ユーザの発したターゲット名が、スマートスピーカ２００（音声認識部３０）にて音声認識され、かつ、そのターゲット名に対応付けられたターゲット画像が、画像認識部４０により熱画像中から認識されると、空調空間に存在するターゲットに向けて調和空気が送出されるように、風向を制御する。
その際、冷房運転中であれば、空調制御部６５は、ターゲットの熱画像における最も高温の箇所に向けて、調和空気が送出されるように風向を制御する。例えば、ターゲットが人であれば、その人の頭部、顔等に向けて、冷風が送出されるように風向を制御する。逆に、暖房中であれば、空調制御部６５は、ターゲットの熱画像における最も低温の箇所に向けて、調和空気が送出されるように風向を制御する。例えば、ターゲットが人であれば、その人の足先、手先等に向けて、温風が送出されるように風向を制御する。
【００８７】
以下、このような構成の空気調和システム１の動作について、図１４〜１６を参照して説明する。図１４は、本発明の実施形態２に係る空気調和システム１のメイン処理の一例を説明するためのフローチャートである。また、図１５は、メイン処理における画像認識処理の一例を説明するためのフローチャートである。そして、図１６は、メイン処理における空調制御処理の一例を説明するためのフローチャートである。
なお、メイン処理における音声認識処理、及び、学習管理処理は、上述した実施形態１に係る空気調和機１００の処理と同じである。
【００８８】
最初に、図１４を参照して、空気調和システム１におけるメイン処理について説明する。
【００８９】
まず、空気調和機１００は、現在のモードが管理モードであるか否かを判別し（ステップＳ１００）、管理モードでないと判別すると（ステップＳ１００；Ｎｏ）、スマートスピーカ２００が、ウェイクワードを検知したか否かを判別する（ステップＳ２００）。
【００９０】
スマートスピーカ２００は、ウェイクワードを検知していないと判別すると（ステップＳ２００；Ｎｏ）、そのまま、ウェイクワードが入力されるのを待機し、一方、ウェイクワードを検知したと判別すると（ステップＳ２００；Ｙｅｓ）、ターゲット名を検知するための音声認識処理を実行する（ステップＳ３００）。
【００９１】
空気調和機１００は、スマートスピーカ２００によって、ターゲット名を検知できたか否かを判別し（ステップＳ４００）、ターゲット名を検知できなかったと判別すると（ステップＳ４００；Ｎｏ）、上述したステップＳ２００に処理を戻し、一方、ターゲット名を検知できたと判別した場合（ステップＳ４００；Ｙｅｓ）に、空調空間に存在するターゲットを検知するための画像認識処理を実行する（ステップＳ５５０）。なお、画像認識処理の詳細については、後述する。
【００９２】
空気調和機１００は、画像認識処理によって、ターゲットを検知できたか否かを判別し（ステップＳ６００）、ターゲットを検知できなかったと判別すると（ステップＳ６００；Ｎｏ）、上述したステップＳ２００に処理を戻す。
【００９３】
一方、ターゲットを検知できたと判別した場合（ステップＳ６００；Ｙｅｓ）に、空気調和機１００は、冷房運転中であるか否かを判別する（ステップＳ７５０）。
【００９４】
空気調和機１００は、冷房運転中であると判別すると（ステップＳ７５０；Ｙｅｓ）、ターゲットにおける最も高温の箇所を特定する（ステップＳ７６０）。
例えば、ターゲットが人であれば、空気調和機１００は、熱画像から、その人の頭部、顔等が最も高温であると特定する。
【００９５】
一方、冷房運転中でない（暖房運転中である）と判別した場合（ステップＳ７５０；Ｎｏ）に、空気調和機１００は、ターゲットにおける最も低温の箇所を特定する（ステップＳ７７０）。
例えば、ターゲットが人であれば、空気調和機１００は、熱画像から、その人の足先、手先が最も低温であると特定する。
【００９６】
そして、空気調和機１００は、風向を制御するための空調制御処理を実行する（ステップＳ８５０）。なお、空調制御処理の詳細については、後述する。
【００９７】
また、上述したステップＳ１００にて、管理モードであると判別した場合（ステップＳ１００；Ｙｅｓ）に、空気調和機１００は、ターゲット名記憶部３１、及び、画像記憶部４１を更新するための学習管理処理を実行する（ステップＳ９００）。
【００９８】
次に、図１５を参照して、上述したメイン処理のステップＳ５５０にて実行される画像認識処理の詳細について説明する。
【００９９】
まず、空気調和機１００は、熱画像カメラ９０が検出した熱画像を取得する（ステップＳ５５１）。
【０１００】
空気調和機１００は、返却された名称ＩＤに対応付けられたターゲット画像を読み出す（ステップＳ５０２）。
【０１０１】
空気調和機１００は、ターゲット画像と、熱画像中の探索窓の画像とをパターン認識により比較する（ステップＳ５５３）。すなわち、画像認識部４０は、画像記憶部４１から読み出したターゲット画像と、熱画像における現在の探索窓の画像とを、パターン認識により比較する。なお、パターン認識以外にも、画像認識部４０は、テンプレートマッチングにより、ターゲット画像と、現在の探索窓の画像とを比較するようにしてもよい。
【０１０２】
空気調和機１００は、ターゲット画像と、現在の探索窓の画像とが合致したか否かを判別し（ステップＳ５０４）、合致したと判別すると（ステップＳ５０４；Ｙｅｓ）、探索窓の位置を返却する（ステップＳ５０５）。つまり、空気調和機１００は、熱画像におけるターゲット画像の位置をリターン値にセットして、上述したメイン処理に制御を戻す。
【０１０３】
一方、合致しないと判別すると（ステップＳ５０４；Ｎｏ）、空気調和機１００は、探索窓が終端まで達したか否かを判別し（ステップＳ５０６）、探索窓が終端まで達していないと判別すると（ステップＳ５０６；Ｎｏ）、探索窓を移動させ（ステップＳ５０７）、上述したステップＳ５５３に処理を戻す。
【０１０４】
一方、探索窓が終端まで達したと判別した場合（ステップＳ５０６；Ｙｅｓ）に、空気調和機１００は、検知なしを返却する（ステップＳ５０８）。つまり、空気調和機１００は、ターゲット画像の検知なしをリターン値にセットして、上述したメイン処理に制御を戻す。
【０１０５】
次に、図１６を参照して、上述したメイン処理のステップＳ８５０にて実行される空調制御処理の詳細について説明する。
【０１０６】
まず、空気調和機１００は、特定されたターゲットの箇所に向けたピンポイント方向を算出する（ステップＳ８５１）。
例えば、空調制御部６０は、返却された探知窓の位置から空調空間に存在するターゲットの位置を求め、更に、上述したステップＳ７６０、若しくは、ステップＳ７７０にて特定した箇所に向けたピンポイント方向（一例として、空気調和機１００の吹出口１０２から特定箇所までのピンポイント方向）を算出する。
【０１０７】
空気調和機１００は、風当て運転か否かを判別し（ステップＳ８０２）、風当て運転でない（風よけ運転である）と判別すると（ステップＳ８０２；Ｎｏ）、ピンポイント方向から、例えば、±３０度ずらして風向を設定する（ステップＳ８５３）。
そして、空気調和機１００は、上述したメイン処理に制御を戻す。
【０１０８】
一方、風当て運転であると判別した場合（ステップＳ８０２；Ｙｅｓ）に、空気調和機１００は、ピンポイント方向に風向を設定する（ステップＳ８５５）。
そして、空気調和機１００は、上述したメイン処理に制御を戻す。
【０１０９】
このように、市販のスマートスピーカ２００を利用した空気調和システム１であっても、ユーザがターゲット名を発話するだけで、空調空間に存在するそのターゲットに向けて風向を制御することができる（風当て運転の場合）。また、熱画像カメラ９０を用いることで、冷房運転中であれば、ターゲットにおける最も高温の箇所に向けて、逆に、暖房運転中であれば、ターゲットにおける最も低温の箇所に向けて、風向を制御することができる（風当て運転の場合）。なお、風よけ運転の場合には、ターゲットからずらして風向を制御することができる。
これにより、目の不自由なユーザ、作業中でリモコンを操作できないユーザ、複雑なリモコン操作が困難な年配のユーザ等であっても、直感的に風向設定を行うことができる。
また、空気調和機１００からの風向は、目視によっても認識が困難であるものの、目の不自由なユーザ、複雑なリモコン操作が困難な年配のユーザだけでなく、殆どのユーザが、微調整の必要なしにピンポイントで風向を設定することができる。
【０１１０】
この結果、音声によって、ユーザの意図した風向設定を指示することができる。
【０１１１】
（他の実施形態）
上記の実施形態１，２では、画像認識部４０が画像認識を行ってターゲットの位置（ターゲット方向）を特定する場合について説明したが、画像認識部４０、及び、カメラ２０，熱画像カメラ９０を省略して、音声だけからターゲットの位置を特定するようにしてもよい。
以下、本発明の他の実施形態に係る空気調和機１００について、図面を参照して説明する。
【０１１２】
図１７は、本発明の他の実施形態に係る空気調和機１００の構成を示すブロック図である。
図示するように、空気調和機１００は、音声取得手段の一例であるアレイマイク１５と、音声認識手段の一例である音声認識部３０と、ターゲット名記憶部３１と、空調制御手段の一例である空調制御部６６と、風向板駆動部７０とを備える。
なお、音声認識部３０、ターゲット名記憶部３１、及び、風向板駆動部７０は、上述した実施形態１に係る空気調和機１００の構成と同じである。
【０１１３】
アレイマイク１５は、複数のマイク素子が配列されており、音声を取得するだけでなく、音声の方向も検出する。
【０１１４】
空調制御部６６は、ユーザの発したターゲット名が、音声認識部３０にて音声認識された場合に、アレイマイク１５が検出した音声の方向に向けて調和空気が送出されるように、風向を制御する。
その際、音声認識部３０が、特定のキーワード（一例として、「スイング運転」）も続けて認識した場合に、空調制御部６６は、アレイマイク１５が検出した音声の方向を中心として、規定範囲で風向を行き来させるスイング運転を行ってもよい。
【０１１５】
このような構成の空気調和機１００であっても、音声によって、ユーザの意図した風向設定を指示することができる。
【０１１６】
また、上記の実施形態１，２等では、空気調和機１００側に、全ての構成を持たせる場合について説明したが、一部の構成を外部のサーバに持たせた上で、協働させてもよい。
以下、本発明の他の実施形態に係る空気調和システム１について、図面を参照して説明する。
【０１１７】
図１８は、本発明の他の実施形態に係る空気調和システム１の構成を示すブロック図である。
図示するように、空気調和システム１は、空気調和機１００と、クラウドサーバ３００とを含んでいる。なお、空気調和機１００と、クラウドサーバ３００とは、インターネットＮを介して通信可能に接続されている。
【０１１８】
空気調和機１００は、音声取得手段の一例であるマイク１０と、撮影画像取得手段の一例であるカメラ２０と、通信部９５と、空調制御手段の一例である空調制御部６７と、風向板駆動部７０とを備える。
なお、マイク１０、カメラ２０、及び、風向板駆動部７０は、上述した実施形態１に係る空気調和機１００の構成と同じである。
【０１１９】
通信部９５は、インターネットＮを介してクラウドサーバ３００と通信を行う。
例えば、通信部９５は、マイク１０が入力した音声、及び、カメラ２０が撮影した撮影画像を、クラウドサーバ３００に送信する。また、通信部９５は、クラウドサーバ３００から送られたターゲットの位置を受信する。
【０１２０】
空調制御部６７は、クラウドサーバ３００からターゲットの位置が送られると、空調空間に存在するそのターゲットに向けて調和空気が送出されるように、風向を制御する（風当て運転の場合）。なお、風よけ運転の場合であれば、空調空間に存在するターゲットから、例えば、±３０度ずらして調和空気が送出されるように、風向を制御する。
【０１２１】
また、クラウドサーバ３００は、受信部３０１と、音声認識手段の一例である音声認識部３０と、ターゲット名記憶部３１と、画像認識手段の一例である画像認識部４０と、画像記憶部４１と、学習管理手段の一例である学習管理部５０と、送信部３０２とを備える。
なお、音声認識部３０、ターゲット名記憶部３１、画像認識部４０、画像記憶部４１、及び、学習管理部５０は、上述した実施形態１に係る空気調和機１００の構成と同じである。
【０１２２】
受信部３０１は、空気調和機１００から送られた音声、及び、撮影画像を受信する。
そして、送信部３０２は、画像認識部４０が認識したターゲットの位置を、空気調和機１００に送信する。
【０１２３】
このような構成の空気調和システム１であっても、音声によって、ユーザの意図した風向設定を指示することができる。
【０１２４】
また、上記の実施形態１，２等において、例えば、空気調和機１００において実行されるプログラムは、ＣＤ−ＲＯＭ（Compact Disc Read Only Memory）、ＤＶＤ（Digital Versatile Disc）、ＭＯ（Magneto-Optical Disk）、ＵＳＢメモリ、メモリカード等のコンピュータ読み取り可能な記録媒体に格納して配布することも可能である。そして、かかるプログラムを特定の又は汎用のコンピュータにインストールすることによって、当該コンピュータを上記の実施形態における空気調和機１００として機能させることも可能である。
【０１２５】
また、上記のプログラムをインターネットといった通信ネットワーク上のサーバ装置が有するディスク装置に格納しておき、例えば、搬送波に重畳させて、コンピュータにダウンロードするようにしてもよい。また、通信ネットワークを介してプログラムを転送しながら起動実行することによっても、上述の処理を達成することができる。さらに、プログラムの全部又は一部をサーバ装置上で実行させ、その処理に関する情報をコンピュータが通信ネットワークを介して送受信しながらプログラムを実行することによっても、上述の処理を達成することができる。
【０１２６】
なお、上述の機能を、ＯＳ（Operating System）が分担して実現する場合、ＯＳとアプリケーションとの協働により実現する場合等には、ＯＳ以外の部分のみを上記の記録媒体に格納して配布してもよく、また、コンピュータにダウンロードしてもよい。
【０１２７】
本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【０１２８】
１  空気調和システム、１０  マイク、１５  アレイマイク、２０  カメラ、３０  音声認識部、３１  ターゲット名記憶部、４０  画像認識部、４１  画像記憶部、５０  学習管理部、６０，６５，６６，６７  空調制御部、７０  風向板駆動部、８０  制御管理部、９０  熱画像カメラ、９５  通信部、１００  空気調和機、１０１  吸込口、１０２  吹出口、１０３  上下風向板、１０４  左右風向板、２００  スマートスピーカ、３００  クラウドサーバ、３０１  受信部、３０２  送信部
【図１】
2020085302.tif 000003
【図２】
2020085302.tif 000004
【図３】
2020085302.tif 000005
【図４】
2020085302.tif 000006
【図５】
2020085302.tif 000007
【図６】
2020085302.tif 000008
【図７】
2020085302.tif 000009
【図８】
2020085302.tif 000010
【図９】
2020085302.tif 000011
【図１０】
2020085302.tif 000012
【図１１】
2020085302.tif 000013
【図１２】
2020085302.tif 000014
【図１３】
2020085302.tif 000015
【図１４】
2020085302.tif 000016
【図１５】
2020085302.tif 000017
【図１６】
2020085302.tif 000018
【図１７】
2020085302.tif 000019
【図１８】
2020085302.tif 000020